【手続補正書】
【提出日】平成16年4月5日(2004.4.5)
【手続補正１】
【補正対象書類名】明細書
【補正対象項目名】特許請求の範囲
【補正方法】変更
【補正の内容】
【特許請求の範囲】
【請求項１】
１つのストリームを複数のストリームに分けて、前記複数のストリームの信号間ではスケールを異ならせ、このスケールは、前記複数のストリームの信号の伝送レートを合計した合計伝送レートが、予め取り決められた規定の伝送レートを満足するようなスケール処理を行っており、かつ各ストリームの信号間には、スケール処理のために生じる各ストリームの信号間の位相のずれを補正する処理を施しており、この処理を施したマルチストリームを記録したことを特徴とするマルチストリームのデータ記録媒体。
【請求項２】
複数のチャンネルの信号を第１の周波数でサンプリングし、第１の量子化ビット数で量子化する手段と、
前記量子化された各チャンネルの信号うち、一部のチャンネルの信号を、第１の周波数よりも低い第２の周波数に周波数変換する周波数変換手段と、
前記一部のチャンネルの信号とは異なる残りの他のチャンネルの信号を遅延して、前記周波数変換手段から出力されたチャンネルの信号と位相合せを行う位相合せ手段と、
前記位相合せ手段から出力された信号を第１のストリーム、前記周波数変換手段から出力された信号を第２のストリームとして出力する出力手段とを具備したことを特徴とする伝送又は記録装置。
【請求項３】
複数のチャンネルのうち一部のチャンネルの信号を第１のストリームとし、第１の周波数でサンプリングし、第１の量子化ビット数で量子化する手段と、
前記複数のチャンネルのうち他のチャンネルの信号を第２のストリームとし、前記第１の周波数よりも低い第２の周波数でサンプリングし、前記第１の量子化ビット数で量子化する手段と、
前記量子化された第１と第２のストリームのデジタル信号が時間軸上で一致するように位相合せを行う位相合せ手段と、
前記位相合せ手段から出力されたデジタル信号を出力する出力手段とを具備したことを特徴とする伝送又は記録装置。
【請求項４】
記録又は伝送されるべきメインチャンネルとサブチャンネルからなる複数チャンネルのマルチチャンネル音声信号を、記録媒体に記録又は伝送路に送出するための第１のストリームと、第２のストリームとに分けて、２つのストリームの信号を第１のサンプリング周波数でサンプルし、かつアナログデジタル変換し、そのうち、第１のストリームのデジタル信号を遅延素子に通し、第２のストリームのデジタル信号を第１のサンプリング周波数からこの周波数よりも低い第２のサンプリング周波数に変換し、第１と第２のストリームのデジタル信号の位相を合せ、記録信号又は伝送信号として出力することを特徴とするマルチストリームのデータ記録又は伝送方法。
【請求項５】
記録又は伝送されるべきメインチャンネルとサブチャンネルからなる複数のチャンネルのマルチチャンネル音声信号を、記録媒体に記録又は伝送路に送出するための第１のストリームと、第２のストリームとに分けて、第１のストリームの信号を第１のサンプリング周波数でサンプルし、かつアナログデジタル変換し、第２のストリームの信号を第１のサンプリング周波数よりも低い第２のサンプリング周波数でサンプルし、かつアナログデジタル変換し、前記第１のストリームのデジタル信号と第２のストリームのデジタル信号との位相合せを行う位相合せ部に通したのち記録信号又は伝送信号として出力することを特徴とするマルチストリームのデータ記録又は伝送方法。
【請求項６】
記録又は伝送されるべきメインチャンネルとサブチャンネルからなる複数チャンネルのマルチチャンネル音声信号を、記録媒体に記録又は伝送路に送出するために、第１のサンプリング周波数でサンプルし、一部のチャンネルを第１のストリームとし、他のチャンネルの第１のサンプリング周波数のサンプルをこれよりも低い第２のサンプリング周波数に周波数変換して第２のストリームとし、前記第１のストリームのデジタル信号と第２のストリームのデジタル信号との位相合せを行う位相合せ部に通したのち記録信号又は伝送信号とした信号の再生処理を電子装置で実行させるために、
前記第２のサンプリング周波数である第２のストリームのデジタル信号を周波数変換して前記第１のサンプリング周波数に戻し、前記第１のストリームのデジタル信号を前記周波数変換に要する時間遅延させて位相合せを行い、この位相合せした第１のストリームのデジタル信号と、前記周波数変換した第２のストリームのデジタル信号とをデジタルアナログ変換用信号として得るソフトウエアプログラムを記録したことを特徴とするデータ記録媒体。
【請求項７】
記録又は伝送されるべきメインチャンネルとサブチャンネルからなる複数のチャンネルのマルチチャンネル音声信号を、記録媒体に記録又は伝送路に送出するための第１のストリームと、第２のストリームとに分けて、第１のストリームの信号を第１のサンプリング周波数でサンプルし、かつアナログデジタル変換し、第２のストリームの信号を第１のサンプリング周波数よりも低い第２のサンプリング周波数でサンプルし、かつアナログデジタル変換し、前記第１のストリームのデジタル信号と第２のストリームのデジタル信号との位相合せを行う位相合せ部に通したのち記録信号又は伝送信号とした信号の再生処理を電子装置で実行させるために、
前記第１のサンプリング周波数の第１のストリームのデジタル信号と、前記第２のサンプリング周波数の第２のストリームのデジタル信号とをそれぞれデジタルアナログ変換用信号として得るソフトウエアを記録したことを特徴とするデータ記録媒体。
【請求項８】
記録又は伝送されるべきメインチャンネルとサブチャンネルからなる複数チャンネルのマルチチャンネル音声信号を、記録媒体に記録又は伝送路に送出するために、第１のサンプリング周波数でサンプルし、一部のチャンネルを第１のストリームとし、他のチャンネルの第１のサンプリング周波数のサンプルをこれよりも低い第２のサンプリング周波数に周波数変換して第２のストリームとし、前記第１のストリームのデジタル信号と第２のストリームのデジタル信号との位相合せを行うソフトウエアプログラムを記録したデータ記録媒体。
【請求項９】
記録又は伝送されるべきメインチャンネルとサブチャンネルからなる複数のチャンネルのマルチチャンネル音声信号を、記録媒体に記録又は伝送路に送出するための第１のストリームと、第２のストリームとに分けて、第１のストリームの信号を第１のサンプリング周波数でサンプルし、かつアナログデジタル変換用信号とし、第２のストリームの信号を第１のサンプリング周波数よりも低い第２のサンプリング周波数でサンプルし、かつアナログデジタル変換用信号とし、前記第１のストリームのデジタル信号と第２のストリームのデジタル信号との位相合せを行うソフトウエアプログラムを記録したデータ記録媒体。
【請求項１０】
１つのストリームを複数のストリームに分けて、前記複数のストリームの信号間では、サンプリング周波数の違いによりスケールを異ならせ、このスケールは、前記複数のストリームの信号の伝送レートを合計した合計伝送レートが、予め取り決められた規定の伝送レートを満足するようなスケール処理を行っており、かつ各ストリームの信号間には、スケール処理のために生じる各ストリームの信号間の位相のずれを補正する処理を施しており、さらに、前記サンプリング周波数が異なる複数のストリームの信号は、それぞれフレーム単位に区切られており、ストリーム間で時間的に一致すべきフレームには同じプレゼンテーション時間情報が付加されることで、再生時のフレーム間同期を得られるようにし、この処理を施したマルチストリームを記録したことを特徴とするマルチストリームのデータ記録媒体。